(57)【要約】  本発明は、ゴム排出パッドを備えたファンデーション容器に係り、さらに詳しくは、ゴム排出パッドの弾性によって内容物容器の下側にまでゴム排出パッドが押され、内容物容器に収容された内容物を残量なく使用することができ、内容物容器の上端にゴム排出パッドが結合され、前記内容物容器に収容された内容物がゴム排出パッドの吐出孔を通過して排出されるため、ゴム排出パッドを押圧する力によって内容物の吐出量を調節することができる、ゴム排出パッドを備えたファンデーション容器に関する。  本発明は、容器本体（１０）と、該容器本体（１０）にヒンジ結合して開閉する蓋体（２０）とを含むファンデーション容器において、前記容器本体（１０）の内部に装着され、内周面に結合溝（３２）を有する内部容器（３０）と、前記内部容器（３０）に結合される内部容器カバー（４０）と、前記内部容器（３０）の内側に結合され、側面に弾性リブ（５３）を有する内容物容器（５０）と、前記内容物容器（５０）の上端に結合され、吐出孔（６１）を有するゴム排出パッド（６０）とを含んでなることを特徴とする、ゴム排出パッドを備えたファンデーション容器を提供する。また、本発明の吐出孔（６１）は０．０１ｍｍ〜１．０ｍｍの孔径を有することを特徴とする。また、本発明の吐出孔（６１）は５０個〜２００個がゴム排出パッド（６０）に分布して形成されることを特徴とする。また、本発明の内部容器（３０）は上端に密閉溝（３１）が形成されることを特徴とする。また、本発明の内部容器カバー（４０）は一側面に開閉ハンドル（４１）が形成されることが好ましい。また、本発明の内部容器カバー（４０）は下側に密閉片（４２）が形成されることを特徴とする。また、本発明の内容物容器（５０）は上部に係止突起（５２）が形成されることを特徴とする。また、本発明の内容物容器（５０）の弾性リブ（５３）は外側に結合突起（５４）が形成されることを特徴とする。また、本発明の内容物容器（５０）の内側には含浸部材（７０）が形成されることを特徴とする。また、本発明のゴム排出パッド（６０）は端部に係止部（６２）が形成されることを特徴とする。
2017500071.tif 000002
【特許請求の範囲】
【請求項１】
容器本体（１０）と、前記容器本体（１０）にヒンジ結合して開閉する蓋体（２０）とを含むファンデーション容器において、
前記容器本体（１０）の内側に結合される内容物容器（５０）と、
前記内容物容器（５０）の上端に結合され、吐出孔（６１）を有するゴム排出パッド（６０）とを含んでなり、
前記ゴム排出パッド（６０）の端部に係止部（６２）が形成され、前記係止部（６２）は前記内容物容器（５０）の係止突起（５２）に結合され前記ゴム排出パッド（６０）が前記内容物容器（５０）の上端に固定結合され、
内容物が前記ゴム排出パッド（６０）の前記吐出孔（６１）を通過して排出されるために、前記ゴム排出パッド（６０）を押圧する力によって、前記内容物容器（５０）に収容された内容物の吐出量を調節するように、前記吐出孔（６１）の直径は、０．０１ｍｍ乃至１．０ｍｍの大きさで形成され、５０個乃至２００個が前記ゴム排出パッド（６０）に分布させて形成され、
前記容器本体（１０）は、内部に内部容器カバー（４０）が結合された内部容器（３０）をさらに含み、
前記内部容器（３０）の内周面の下端に結合溝（３２）が形成され、
前記内容物容器（５０）の側面に弾性リブ（５３）が形成され、
弾性リブ（５３）の外側に結合突起（５４）が形成されることを、
特徴とするゴム排出パッドを備えたファンデーション容器。
【請求項２】
前記内部容器（３０）は、上端に密閉溝（３１）が形成されることを特徴とする、請求項１に記載のゴム排出パッドを備えたファンデーション容器。
【請求項３】
前記内部容器カバー（４０）は、下端に密閉片（４２）が形成されることを特徴とする、請求項１に記載のゴム排出パッドを備えたファンデーション容器。
【請求項４】
前記内容物容器（５０）は、内側に含浸部材（７０）がさらに装着されることを特徴とする、請求項１に記載のゴム排出パッドを備えたファンデーション容器。
【請求項５】
前記含浸部材（７０）は、ＢＲ（Ｂｕｔａｄｉｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ＮＲ（Ｎａｔｕｒａｌ  Ｒｕｂｂｅｒ）、湿式ウレタン、乾式ウレタン、ポリエーテル、ポリエステル、ポリ塩化ビニル、ポリエチレン、ラテックス、シリコーン、ＰＶＡ（ＰｏｌｙＶｉｎｙｌ  Ａｌｃｏｈｏｌ）、シリコーン製エラストマー、ニトリルゴム、ブチルゴム、およびネオプレンよりなる群から選択される１つ以上の材質からなることを特徴とする、請求項４に記載のゴム排出パッドを備えたファンデーション容器。
【発明の詳細な説明】
【技術分野】
【０００１】
本発明は、ゴム排出パッドを備えたファンデーション容器に係り、さらに詳しくは、ゴム排出パッドの弾性によって内容物容器の下側にまでゴム排出パッドが押され、内容物容器に収容された内容物を残量なく使用することができ、内容物容器の上端にゴム排出パッドが結合され、前記内容物容器に収容された内容物がゴム排出パッドの吐出孔を通過して排出されるため、ゴム排出パッドを押圧する力によって内容物の吐出量を調節することができる、ゴム排出パッドを備えたファンデーション容器に関する。
【背景技術】
【０００２】
一般に、コンパクト容器は、粉状の内容物を収納し、パフを使って粉状の内容物を使用した。
【０００３】
しかし、粉状の内容物を使用する場合には、使用中の内容物が飛散し、顔への塗布時の密着感に劣るという欠点がある。
【０００４】
したがって、このような欠点を克服するために、ゲル（Ｇｅｌ）状の内容物のファンデーションが開発され、その便利さにより使用頻度が益々増えている傾向にある。
【０００５】
一般に、ゲル状の内容物は比重または剤形の異なるものを混合して製造されるところ、互いに異なる剤形のものを混合した化粧品の種類には、界面活性剤のような乳化剤を用いて油性原料と水性原料とを混合した油中水型（ｗａｔｅｒ  ｉｎ  ｏｉｌ、Ｗ／Ｏ）または水中油型（ｏｉｌ  ｉｎ  ｗａｔｅｒ、Ｏ／Ｗ）の乳化型化粧料がある。
【０００６】
油中水型化粧料は、油が水よりも多く、油分の多い感じがして皮膚吸収が遅く、使用感が重いが、水中油型よりも持続性は高い。水中油型化粧料は、水が油よりも多く、油分の少ない感じがして皮膚吸収が速く、さっぱりして軽い使用感がするが、持続性は低い。
【０００７】
したがって、持続性が求められる化粧品の場合は、汗や水に対する耐水性を増進させるために油中水型（ｗａｔｅｒ  ｉｎ  ｏｉｌ、Ｗ／Ｏ）化粧料として製造される。
【０００８】
油中水型化粧料は、使用感が重くべたつくという欠点があるが、内容物の粘度を下げて補完することができる。ところが、低粘度の油中水型製品は、流通中に容器内で長期保管されるときに内相の水相と外相の油相が互いに分離される場合がある。この場合には、使用者が容器を振ることにより、分離された水相と油相を互いに混合して使用するようになり、使い勝手がよくない。
【０００９】
このような問題点を解決するために、本出願人は、韓国特許第１０−１１５９８７７号に開示されている、低粘度の油中水型内容物を含浸部材に含浸させてコンパクト容器に入れた製品を開発した。
【００１０】
ゲル状の内容物を含浸したコンパクト容器において、含浸部材は内部容器に収容され且つゲル状の内容物を含浸している。その含浸部材には、最初使用の際は、ゲル状の内容物が均一に含浸されている。
【００１１】
しかし、消費者が含浸部材のゲル状の内容物をパフで軽く押さえて使用することにより、含浸部材の上部にあったゲル状の内容物は枯渇してしまい、さらに重力によってゲル状の内容物が含浸部材の上部から下部へ移動する。よって、下部にゲル状の内容物が残っているにもかかわらず、含浸部材の上面にパフを軽く押さえて使用しようとしても、ゲル状の内容物がうまく付かなくなり、コンパクトを使用することが非常に難しいという問題点がある。
【００１２】
また、含浸部材に含浸された内容物をパフに直接付けて使用するため、内容物の排出を制御することができないという問題点がある。
【発明の概要】
【発明が解決しようとする課題】
【００１３】
本発明は、上述したような問題点を解決するために案出されたもので、その目的は、ゴム排出パッドの弾性によって内容物容器の下側にまでゴム排出パッドが押され、内容物容器に収容された内容物を残量なく使用することができる、ゴム排出パッドを備えたファンデーション容器を提供することにある。
【００１４】
本発明の他の目的は、内容物容器の上端にゴム排出パッドが結合され、前記内容物容器に収容された内容物がゴム排出パッドの吐出孔を通過して排出されるため、ゴム排出パッドを押圧する力によって内容物の吐出量を調節することができる、ゴム排出パッドを備えたファンデーション容器を提供することにある。
【課題を解決するための手段】
【００１５】
本発明は、容器本体１０と、前記容器本体１０にヒンジ結合して開閉する蓋体２０とを含むファンデーション容器において、
前記容器本体１０の内部に装着され、内周面に結合溝３２を有する内部容器３０と、
前記内部容器３０に結合される内部容器カバー４０と、
前記内部容器３０の内側に結合され、側面に弾性リブ５３を有する内容物容器５０と、
前記内容物容器５０の上部に結合され、吐出孔６１が形成されたゴム排出パッド６０とを含んでなることを特徴とする、ゴム排出パッドを備えたファンデーション容器を提供する。
【００１６】
また、本発明の吐出孔６１の直径は０．０１ｍｍ〜１．０ｍｍの大きさであることを特徴とする。
【００１７】
また、本発明の吐出孔６１は、５０個〜２００個をゴム排出パッド６０に分布して形成されることを特徴とする。
【００１８】
また、本発明の内部容器３０は上端に密閉溝３１が形成されることを特徴とする。
【００１９】
また、本発明の内部容器カバー４０は一側面に開閉ハンドル４１が形成されることが好ましい。
【００２０】
また、本発明の内部容器カバー４０は下側に密閉片４２が形成されることを特徴とする。
【００２１】
また、本発明の内容物容器５０は上端に係止突起５２が形成されることを特徴とする。
【００２２】
また、本発明の内容物容器５０の弾性リブ５３は外側に結合突起５４が形成されることを特徴とする。
【００２３】
また、本発明の内容物容器５０の内側には含浸部材７０が形成されることを特徴とする。
【００２４】
また、本発明のゴム排出パッド６０は端部に係止部６２が形成されることを特徴とする。
【発明の効果】
【００２５】
本発明に係るゴム排出パッドを備えたファンデーション容器は、ゴム排出パッドの弾性によって内容物容器の下側にまでゴム排出パッドが押され、内容物容器に収容された内容物を残量なく使用することができるという効果がある。
【００２６】
また、本発明に係るゴム排出パッドを備えたファンデーション容器は、内容物容器の上端にゴム排出パッドが結合され、前記内容物容器に収容された内容物がゴム排出パッドの吐出孔を通過して排出されるため、ゴム排出パッドを押圧する力によって、内容物容器に収容された内容物の吐出量を調節して無駄を防止することができるという効果がある。
【図面の簡単な説明】
【００２７】
【図１】本発明のゴム排出パッドを備えたファンデーション容器の蓋体を開放した状態の斜視図である。
【図２】本発明のゴム排出パッドを備えたファンデーション容器の分離斜視図である。
【図３】本発明のゴム排出パッドを備えたファンデーション容器の蓋体を開封した状態の結合断面図である。
【図４】本発明のゴム排出パッドを備えたファンデーション容器のゴム排出パッドと内容物容器との結合過程を示す状態図である。
【図５】本発明のゴム排出パッドを備えたファンデーション容器のゴム排出パッドと内容物容器とが結合された状態を示す状態図である。
【図６】本発明のゴム排出パッドを備えたファンデーション容器の内容物容器を容器本体に結合する状態を示す状態図である。
【図７】本発明のゴム排出パッドを備えたファンデーション容器の別の実施形態の結合断面図である。
【発明を実施するための形態】
【００２８】
以下、本発明に係るゴム排出パッドを備えたファンデーション容器の一実施形態を添付図面に基づいて説明する。
【００２９】
図１は本発明のゴム排出パッドを備えたファンデーション容器の蓋体を開放した状態の斜視図であり、図２は本発明のゴム排出パッドを備えたファンデーション容器の分離斜視図である。図３は本発明のゴム排出パッドを備えたファンデーション容器の蓋体を開封した状態の結合断面図であり、図４は本発明のゴム排出パッドを備えたファンデーション容器のゴム排出パッドと内容物容器との結合過程を示す状態図である。図５は本発明のゴム排出パッドを備えたファンデーション容器のゴム排出パッドと内容物容器とが結合された状態を示す状態図であり、図６は本発明のゴム排出パッドを備えたファンデーション容器の内容物容器を容器本体に結合する状態を示す状態図である。図７は本発明のゴム排出パッドを備えたファンデーション容器の別の実施形態の結合断面図である。
【００３０】
本発明の一実施形態に係るゴム排出パッドを備えたファンデーション容器は、容器本体１０、前記容器本体１０にヒンジ結合する蓋体２０、前記容器本体１０の内部に装着される内部容器３０、前記内部容器３０に結合される内部容器カバー４０、前記内部容器３０に結合される内容物容器５０、及び前記内容物容器５０の上端に結合されるゴム排出パッド６０から構成される。
【００３１】
前記容器本体１０は、一側面にロック片１２を備えたプッシュボタン１１が設けられ、前記プッシュボタン１１の対向する側にはヒンジが設けられることにより、蓋体２０とヒンジ結合されている。
【００３２】
前記容器本体１０は内部に内部容器３０が装着され、前記内部容器３０は容器本体１０と一体に形成されることもできる。
【００３３】
前記プッシュボタン１１は、使用者の押圧動作により、プッシュボタン１１の上部に延設されたロック片１２が容易に後退して蓋体２０のロック突起２２から離脱できるようにする。
【００３４】
前記蓋体２０は、容器本体１０の上部を覆うもので、容器本体１０とヒンジ結合で連結され、容器本体１０を開放または閉鎖する役割を果たす。
【００３５】
前記蓋体２０の一側にはロック突起２２を形成する。前記ロック突起はロック片１２に対応するように突起形状からなる。
【００３６】
また、前記蓋体２０の内側には鏡２１を備え、前記鏡２１は、ファンデーションを用いた化粧の際に容易く化粧を行うことができるようにする。
【００３７】
前記内部容器３０は、上端に密閉溝３１が形成され、内周面の下端には結合溝３２が形成される。
【００３８】
また、内部容器３０は、内部容器カバー４０との結合のためのヒンジブラケット３３とヒンジピン３４が設けられている。
【００３９】
前記内部容器３０は、容器本体１０と一体に形成されてもよく、分離して形成されてもよい。
【００４０】
本発明では、分離して形成された構造に基づいて説明する。
【００４１】
前記密閉溝３１は、内部容器３０の上端に形成され、内部容器カバー４０の密閉片４２が挿入されて内容物容器５０の気密性を増大させる役割を果たす。
【００４２】
前記結合溝３２は、内容物容器５０と結合して前記内容物容器５０を内部容器３０に固定結合させる。
【００４３】
前記ヒンジブラケット３３は、内部容器３０の側面に形成されてヒンジピン３４によって容器本体カバー４０とヒンジ結合する。
【００４４】
前記内部容器カバー４０は、一側にヒンジ突起４３を形成され、内部容器３０とヒンジ結合する。
【００４５】
また、内部容器カバー４０の上面には、化粧道具であるパフ（図示せず）を保管することが可能なパフ内蔵スペース４４が形成される。
【００４６】
前記内部容器カバー４０の一側に形成されたヒンジ突起４３は、内部容器３０のヒンジブラケット３３に挿入されてヒンジピン３４によって固設される。
【００４７】
前記内部容器カバー４０の下端には密閉片４２が形成され、該密閉片は内部容器３０の密閉溝３１に嵌合されて内容物容器５０の気密性を増大させる役割を果たす。
【００４８】
前記内部容器カバー４０の一側面には、容易な開閉のために開閉ハンドル４１が形成される。
【００４９】
前記内容物容器５０は、内部容器３０の内側に結合され、側面に弾性リブ５３が形成され、上端外周面には係止突起５２が形成される。
【００５０】
前記内容物容器５０の内部には内容物が収容される。
【００５１】
前記係止突起５２は、内容物容器５０の上端の外周面に形成され、ゴム排出パッド６０が結合される。
【００５２】
前記弾性リブ５３は、弾性的に動き、外側に結合突起５４が形成されて内容物容器５０が内部容器３０の結合溝３２に容易く結合できるようにする。
【００５３】
また、本発明の内容容器５０の内側には、図７に示すように、含浸部材７０がさらに装着できる。
【００５４】
前記含浸部材７０は、ＢＲ（Ｂｕｔａｄｉｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ＮＲ（Ｎａｕｒａｌ  Ｒｕｂｂｅｒ）、湿式ウレタン、乾式ウレタン、ポリエーテル、ポリエステル、ポリ塩化ビニル、ポリエチレン、ラテックス、シリコーン、ＰＶＡ（ＰｏｌｙＶｉｎｙｌ  Ａｌｃｏｈｏｌ）、シリコーン製エラストマー、ニトリルゴム、ブチルゴム、およびネオプレンよりなる群から選択される１つ以上の材質を含むことができる。
【００５５】
前記ゴム排出パッド６０は、内容物が排出されるように多数の吐出孔６１を有し、端部に係止部６２が形成される。
【００５６】
前記ゴム排出パッド６０は、弾性によって内容物容器５０の下側にまでゴム排出パッド６０が押され、内容物容器５０に収容された内容物を残量なく使用することができ、前記内容物がゴム排出パッド６０の吐出孔６１を通過して排出されるため、ゴム排出パッド６０を押圧する力によって、内容物容器５０に収容された内容物の吐出量を調節して無駄を防止することができる。
【００５７】
前記ゴム排出パッド６０は、天然ゴムまたはエラストマー、シリコーンゴム、ＮＢＲゴム、または弾性に優れた合成樹脂材の１種以上からなることができる。
【００５８】
前記吐出孔６１は、０．０１ｍｍ〜１．０ｍｍの孔径を有し、５０個〜２００個をゴム排出パッド６０に分布させて形成する。
【００５９】
次の実施例１〜実施例５のそれぞれのゴム排出パッドに対して、２０代から３０代の女性消費者３０人を対象として使用感を調べた。
［実験例１］ゴム排出パッドの吐出孔の直径による使用感の測定
ゴム排出パッドの吐出孔の孔径による消費者の使用感を測定した。
【００６０】
【表１】
2017500071.tif 000003
（１．０：非常に悪い、２．０：悪い、３．０：通常、４．０：良い、５．０：非常に良い）
【００６１】
［実験例２］ゴム排出パッドの吐出孔の数による使用感の測定
ゴム排出パッド６０の吐出孔６１の個数による消費者の使用感を測定するために、ゴム排出パッド６０の吐出孔の直径を０．０５ｍｍとし、様々な個数の吐出孔６１を有するゴム排出パッド６０からなるファンデーション容器を提供した後、消費者の使用感を測定した。
【００６２】
【表２】
2017500071.tif 000004
（１．０：非常に悪い、２．０：悪い、３．０：通常、４．０：良い、５．０：非常に良い）
【００６３】
消費者の使用感を測定したところ、吐出孔６１の孔径が０．０１ｍｍ未満である場合には、内容物の粒子が表面張力により内容物の排出が円滑ではないため消費者の使用感が悪く、吐出孔６１の直径が１．０ｍｍ超過である場合には、内容物が過度に排出されて消費者の使用感は悪く、ゴム排出パッド６０が内容物の排出量を調節することができなくなる。
【００６４】
また、吐出孔６１の数が５０個未満である場合には、内容物の排出が円滑ではないため消費者の使用感が悪く、吐出孔６１の数が２００個超過である場合には、内容物の排出量があまり多くなって消費者の使用感は悪く、ゴム排出パッド６０が内容物の排出量を調節することができなくなる。
【００６５】
つまり、内容物がゴム排出パッド６０の吐出孔６１を通過して排出されるため、吐出孔の孔径が０．０１ｍｍ〜１．０ｍｍであり且つ吐出孔の数は５０個〜２００個であってこそ、消費者の使用感に優れるうえ、適切な内容物の排出量を調節することができる。
【００６６】
前記ゴム排出パッド６０は端部に係止部６２が形成される。前記係止部６２は、内容物容器５０の係止突起５２に係合してゴム排出パッド６０が内容物容器５０の上端に固定結合できるようにする役割を果たす。
【００６７】
次に、本発明の一実施形態に係るゴム排出パッドを備えたファンデーション容器の組立方法及び使用状態を詳細に説明する。
【００６８】
本発明は、ヒンジ結合によって連結された容器本体１０と蓋体２０とを含んでなるファンデーション容器において、前記容器本体１０の内側に内部容器３０を結合する。前記内部容器３０は、内部容器カバー４０とヒンジ結合で連結される。
【００６９】
その後、図４に示すように内容物容器５０の上端にゴム排出パッド６０を結合して図５の如くに組み立てた後、図６に示すように容器本体１０の下側から内容物容器５０を嵌合することにより、本発明のゴム排出パッドを備えたファンデーション容器の組立を完了する。
【００７０】
前述した方法で組み立てられたゴム排出パッドを備えたファンデーション容器の内容物を使用するには、パフを使ってゴム排出パッド６０を押圧する。
【００７１】
前記ゴム排出パッド６０を押圧すると、ゴム排出パッド６０の弾性によって内容物容器５０の下側にまでゴム排出パッド６０が押され、前記内容物容器５０に収容された内容物が残量なく上方に吐出される。
【００７２】
また、内容物容器５０の上端にゴム排出パッド６０が結合され、前記内容物容器５０に収容された内容物がゴム排出パッド６０の吐出孔６１を通過して排出されるため、ゴム排出パッド６０を押圧する力によって、内容物容器５０に収容された内容物の吐出量を調節して無駄を防止することができる。
【００７３】
また、図７に示すように、内容物容器５０内には含浸部材７０をさらに含むことができる。従来の低粘度の油中水型製品は、流通中の容器内で長期保管するときに内相の水相と外相の油相が互いに分離される場合があるが、内容物を含浸部材に含浸させておけば、スポンジからなる含浸部材内の小さなセル内に内容物が込められているので、セル内の表面張力によって水相と油相に分離されないという利点がある。
【００７４】
以上、本発明で説明したものは、ゴム排出パッドを備えたファンデーション容器を実施するための一実施形態に過ぎない。本発明は、前述した一実施形態に限定されるものではない。添付された請求の範囲で請求するように、本発明の要旨を逸脱することなく、当該発明の属する分野における通常の知識を有する者であれば、誰でも様々な変更実施が可能な範囲まで本発明の範囲に属するものとみなされるべきである。
【符号の説明】
【００７５】
１０    容器本体
１１    プッシュボタン
１２    ロック片
２０    蓋体
２１    鏡
２２    ロック突起
３０    内部容器
３１    密閉溝
３２    結合溝
３３    ヒンジブラケット
３４    ヒンジピン
４０    内部容器カバー
４１    開閉ハンドル
４２    密閉片
４３    ヒンジ突起
４４    パフ内蔵空間
５０    内容物容器
５２    係止突起
５３    弾性リブ
５４    結合突起
６０    ゴム排出パッド
６１    吐出孔
６２    係止部
７０    含浸部材
【図１】
2017500071.tif 000005
【図２】
2017500071.tif 000006
【図３】
2017500071.tif 000007
【図４】
2017500071.tif 000008
【図５】
2017500071.tif 000009
【図６】
2017500071.tif 000010
【図７】
2017500071.tif 000011
【国際調査報告】
2017500071.tif 000012
2017500071.tif 000013
2017500071.tif 000014
2017500071.tif 000015